(57)【特許請求の範囲】
【請求項１】
生体情報を用いた認証処理の結果により建物への入室を制御する入室管理方法において、
入室者を搬送する平面状若しくは階段状の循環型搬送装置に設置された複数の生体情報認証装置の生体情報センサーによって各入室者の生体情報を読み取るステップと、前記生体情報センサーで読み取られた生体情報をゲート制御システムに送信するステップと、
前記送信された生体情報とゲート制御システムに保存されている原本情報とを照合し、その照合結果を前記生体情報認証装置に通知するステップと、前記通知された照合結果をその生体情報認証装置で表示してその照合結果を入室者に知らせるステップと、前記生体情報認証装置が前記循環型搬送装置の搬送終点に到着した場合に、その生体情報認証装置によって送信された生体情報による照合結果に応じて建物ゲートの開閉を制御するステップとを有することを特徴とする入室管理方法。
【請求項２】
前記生体情報認証装置によって読み取られた生体情報にその生体情報認証装置を識別する為の生体情報認証装置識別番号を付加してゲート制御システムに送信し、搬送終点に到着した生体情報認証装置の生体情報認証装置識別番号に対応付けられた照合結果に応じて建物ゲートの開閉を制御することを特徴とする請求項１に記載された入室管理方法。
【請求項３】
生体情報認証装置によって読み取られた生体情報を循環型搬送装置の特定位置でゲート制御システムへ送信し、その特定位置から搬送終点までの搬送に要する時間が経過した後、前記送信された生体情報の照合結果に応じて建物ゲートの開閉を制御することを特徴とする請求項１に記載された入室管理方法。
【請求項４】
生体情報を用いた認証処理の結果により建物への入室を制御する入室管理システムにおいて、
入室者を搬送する平面状若しくは階段状の循環型搬送装置に設置された複数の生体情報認証装置の生体情報センサーによって各入室者の生体情報を読み取る生体情報読み取り処理部と、前記生体情報センサーで読み取られた生体情報をゲート制御システムに送信する生体情報送信処理部と、
前記送信された生体情報とゲート制御システムに保存されている原本情報とを照合し、その照合結果を前記生体情報認証装置に通知する照合処理部と、前記通知された照合結果をその生体情報認証装置で表示してその照合結果を入室者に知らせる照合結果出力処理部と、前記生体情報認証装置が前記循環型搬送装置の搬送終点に到着した場合に、その生体情報認証装置によって送信された生体情報による照合結果に応じて建物ゲートの開閉を制御するゲート制御処理部とを備えることを特徴とする入室管理システム。
【請求項５】
生体情報を用いた認証処理の結果により建物への入室を制御する入室管理システムとしてコンピュータを機能させる為のプログラムにおいて、
入室者を搬送する平面状若しくは階段状の循環型搬送装置に設置された複数の生体情報認証装置の生体情報センサーによって各入室者の生体情報を読み取る生体情報読み取り処理部と、前記生体情報センサーで読み取られた生体情報をゲート制御システムに送信する生体情報送信処理部と、
前記送信された生体情報とゲート制御システムに保存されている原本情報とを照合し、その照合結果を前記生体情報認証装置に通知する照合処理部と、前記通知された照合結果をその生体情報認証装置で表示してその照合結果を入室者に知らせる照合結果出力処理部と、前記生体情報認証装置が前記循環型搬送装置の搬送終点に到着した場合に、その生体情報認証装置によって送信された生体情報による照合結果に応じて建物ゲートの開閉を制御するゲート制御処理部としてコンピュータを機能させることを特徴とするプログラム。
【発明の詳細な説明】
【０００１】
【発明の属する技術分野】
本発明は生体情報を用いた認証処理の結果により建物への入室を制御する入室管理システムに関し、特に入室者が指紋認証装置に指を当てて指紋照合を行い、その照合結果に応じて建物ゲートを開閉させる入室管理システムに適用して有効な技術に関するものである。
【０００２】
【従来の技術】
近年の建物の入室管理において、指紋認証を用いた入室管理装置が実用化されている。この種の入室管理装置は、特開平５−２３３８９６号公報にある様に、入退出者の確認手段として、指紋による指の特徴を利用した個人認証を行い、認証結果により施設の扉を開閉制御することにより、セキュリティを向上させることを目的としている。
【０００３】
【発明が解決しようとする課題】
従来の指紋認証による入室管理においては、施設入口に指紋認証装置を設置し、入室者がその場所に指を当て指紋照合を行いゲートが開閉する、という一連の処理を入室者毎に行う必要があった。このため１名の入室に数秒以上の時間がかかり、始業時間等の混雑時には入口に待ち行列が発生してしまうという問題があった。
本発明の目的は上記問題を解決し、生体情報の認証による建物入室管理における認証待ち時間を解消することが可能な技術を提供することにある。
【０００４】
【課題を解決するための手段】
本発明は、生体情報を用いた認証処理の結果により建物への入室を制御する入室管理システムにおいて、入室者の搬送中に生体情報の照合を行うものである。
【０００５】
本発明の入室管理システムでは、入室者を搬送する平面状若しくは階段状の循環型搬送装置であるエスカレータに、入室者の指紋等の生体情報を読み取る生体情報認証装置を複数設置しておく。建物に入室しようとする入室者が前記エスカレータによって建物ゲートへ搬送される際に、そのエスカレータに設置された生体情報認証装置の生体情報センサーによって当該入室者の生体情報を読み取り、その読み取られた生体情報をゲート制御システムに送信する。
【０００６】
生体情報を受信したゲート制御システムは、その生体情報とゲート制御システムに保存されている原本情報とを照合し、その照合結果を生体情報認証装置に通知する。
【０００７】
前記送信した生体情報の照合結果をゲート制御システムから受信した生体情報認証装置は、前記通知された照合結果をその生体情報認証装置で表示してその照合結果を入室者に知らせる。例えば、照合処理に成功した場合には緑色、失敗した場合には赤色の発光ダイオード(LED)を点灯して照合結果を入室者に知らせる。生体情報認証装置の表示が照合処理に失敗したことを示している場合にその入室者は、前記生体情報センサーによって生体情報の読み取りを再度行い、エスカレータによる搬送中に生体情報の再照合を依頼することができる。
【０００８】
そして、生体情報認証装置が前記エスカレータの搬送終点に到着した場合に、その生体情報認証装置によって送信された生体情報による照合結果に応じて建物ゲートの開閉を制御し、照合処理に成功している場合には建物ゲートを開いて当該入室者の入室を可能とし、失敗している場合には建物ゲートを閉じて建物ゲートとエスカレータとの間の側道から管理対象外の一般入口に当該入室者を誘導する。
【０００９】
前記の様に本発明では、搬送装置による搬送中に入室者の生体情報の読み取りと照合を行うので、入室者による入力ミス等、生体情報の読み取りに起因する照合失敗が生じた場合、読み取り及び照合を搬送中に再度行うことで、照合失敗による待ち時間の発生をできるだけ防ぐことができる。
【００１０】
以上の様に本発明の入室管理システムによれば、入室者の搬送中に生体情報の照合を行うので、生体情報の認証による建物入室管理における認証待ち時間を解消することが可能である。
【００１１】
【発明の実施の形態】
以下に生体情報として入室者の指紋画像を用いた認証処理の結果により建物への入室を制御する一実施形態の入室管理システムについて説明する。
図１は本実施形態の入室管理システムの概略構成を示す図である。図１に示す様に本実施形態のゲート制御システム１０は、指紋照合処理部１１１と、ゲート制御処理部１１２とを有している。
【００１２】
指紋照合処理部１１１は、指紋認証装置２０から送信された指紋画像とゲート制御システム１０の外部記憶装置３０に保存されている指紋原本情報とを照合し、その照合結果を指紋認証装置２０に通知する処理部である。
【００１３】
ゲート制御処理部１１２は、指紋認証装置２０がエスカレータの搬送終点に到着した場合に、その指紋認証装置２０によって送信された指紋画像による照合結果に応じて建物ゲート４０の開閉を制御する処理部である。
【００１４】
ゲート制御システム１０を指紋照合処理部１１１及びゲート制御処理部１１２として機能させる為のプログラムは、ＣＤ−ＲＯＭ等の記録媒体に記録され磁気ディスク等に格納された後、メモリにロードされて実行されるものとする。なお前記プログラムを記録する記録媒体はＣＤ−ＲＯＭ以外の他の記録媒体でも良い。また前記プログラムを当該記録媒体から情報処理装置にインストールして使用しても良いし、ネットワークを通じて当該記録媒体にアクセスして前記プログラムを使用するものとしても良い。
【００１５】
指紋認証装置２０は、指紋情報読み取り処理部１２１と、指紋情報送信処理部１２２と、照合結果出力処理部１２３とを有している。
指紋情報読み取り処理部１２１は、入室者を搬送するエスカレータに設置された指紋認証装置２０の指紋センサー２２によって入室者の指紋画像を読み取る処理部である。指紋情報送信処理部１２２は、指紋センサー２２で読み取られた指紋画像を無線通信装置２３によってゲート制御システム１０に送信する処理部である。照合結果出力処理部１２３は、前記通知された照合結果を指紋認証装置２０の指紋入力成否ＬＥＤ２１で表示してその照合結果を入室者に知らせる処理部である。
【００１６】
指紋認証装置２０を指紋情報読み取り処理部１２１、指紋情報送信処理部１２２及び照合結果出力処理部１２３として機能させる為のプログラムは、ＲＯＭ等の記録媒体に記録されて実行されるものとする。なお前記プログラムを記録する記録媒体はＲＯＭ以外の他の記録媒体でも良い。また前記プログラムを当該記録媒体から情報処理装置にインストールして使用しても良いし、ネットワークを通じて当該記録媒体にアクセスして前記プログラムを使用するものとしても良い。
【００１７】
図１に示す様に本実施形態の入室管理システムは、ゲート制御システム１０と、搬送装置の手摺ベルトに設置された指紋認証装置２０と、建物ゲート４０と、ゲート制御システム１０と指紋認証装置２０を結ぶ無線通信回線５０と、ゲート制御システム１０と建物ゲート４０を結ぶ通信回線６０とを備えている。
【００１８】
ゲート制御システム１０は、指紋照合処理部１１１を有しており、指紋認証装置２０は、指紋センサー２２、指紋入力成否ＬＥＤ２１、無線通信装置２３を有している。指紋入力成否ＬＥＤ２１は、照合が失敗したか否か、若しくは指紋データを正常に取得できなかったか否かを示すもので、指紋センサー２２からの制御信号、若しくはゲート制御システム１０からの無線信号を受けて点灯したり色を変えたりすることにより入室者に再入力を促すものである。外部記憶装置３０は、指紋原本情報を格納している。
【００１９】
図２は本実施形態の指紋認証装置２０の処理手順を示すフローチャートである。図２に示す様に指紋認証装置２０の指紋情報読み取り処理部１２１は、入室者を搬送するエスカレータに設置された指紋認証装置２０の指紋センサー２２によって入室者の指紋画像を読み取り、指紋情報送信処理部１２２は、その読み取られた指紋画像を無線通信装置２３によってゲート制御システム１０に送信する処理を行う。また照合結果出力処理部１２３は、ゲート制御システム１０から通知された照合結果を指紋認証装置２０の指紋入力成否ＬＥＤ２１で表示してその照合結果を入室者に知らせる処理を行う。
【００２０】
本実施形態の入室管理システムにおいて、建物ゲート４０を通じて建物に入室しようとする入室者が搬送装置であるエスカレータに搭乗すると、その入室者はエスカレータの手摺ベルト部に装備されている指紋認証装置２０の指紋センサー２２に触れ、指紋の入力を行う。
【００２１】
ステップ２０１で指紋認証装置２０の指紋情報読み取り処理部１２１は、指紋センサー２２に入室者の指が触れているかどうかを調べ、入室者の指を検出した場合にはステップ２０２へ進み、指紋センサー２２によってその入室者の指の指紋画像を読み取る。
【００２２】
ステップ２０３では、指紋センサー２２によって読み取られた指紋画像の形状やデータサイズ、画像の状態を調べて、入室者の指紋画像の読み取りが正常に行われたかどうかを判定し、読み取りが正常に行われた場合にはステップ２０４へ進み、読み取りが正常に行われなかった場合にはステップ２０５へ進んで指紋入力成否ＬＥＤ２１を赤点灯し、指紋画像の再入力を要求する。この際、指紋センサー２２に触れる指の方向等、正しく指紋画像を入力する為のガイダンスメッセージを出力する様にしても良い。
【００２３】
ステップ２０４で指紋認証装置２０の指紋情報送信処理部１２２は、指紋センサー２２によって読み取られた指紋画像に当該指紋認証装置を識別する為の識別番号である指紋認証装置識別番号を付加して指紋照合要求メッセージを生成し、無線通信装置２３によってゲート制御システム１０に送信してゲート制御システム１０に指紋照合を要求する。
【００２４】
図３は本実施形態のゲート制御システム１０の処理手順を示すフローチャートである。図３に示す様にゲート制御システム１０の指紋照合処理部１１１は、指紋認証装置２０から送信された指紋画像とゲート制御システム１０の外部記憶装置３０に保存されている指紋原本情報とを照合し、その照合結果を指紋認証装置２０に通知する処理を行う。またゲート制御処理部１１２は、指紋認証装置２０がエスカレータの搬送終点に到着した場合に、その指紋認証装置２０によって送信された指紋画像による照合結果に応じて建物ゲート４０の開閉を制御する処理を行う。
【００２５】
図３のステップ３０１でゲート制御システム１０の指紋照合処理部１１１は、指紋認証装置２０から指紋照合要求メッセージが送信されてきているかどうかを調べ、指紋照合要求メッセージが送信されてきている場合にはステップ３０２へ進む。
【００２６】
ステップ３０２では、指紋認証装置２０から送信された指紋照合要求メッセージを受信して指紋画像及び指紋認証装置識別番号を読み出し、ゲート制御システム１０内のメモリに保持する。またステップ３０３では、ゲート制御システム１０の外部記憶装置３０に保存されている指紋原本情報を読み出す。
【００２７】
ステップ３０４では、前記受信した指紋画像と前記読み出した指紋原本情報とを照合して前記受信した指紋画像と一致するものが指紋原本情報中にあるかどうか調べ、一致するものがある場合にはステップ３０５へ進み、一致するものが無い場合にはステップ３０６へ進む。
【００２８】
ステップ３０５では、指紋画像の照合に成功したことを示す照合結果を指紋認証装置２０に通知し、ステップ３０６では、指紋画像の照合に失敗したことを示す照合結果を指紋認証装置２０に通知する。そしてステップ３０７では、前記指紋認証装置識別番号と対応付けてその照合結果をメモリ内に保持する。
【００２９】
図２のステップ２０６で指紋認証装置２０の照合結果出力処理部１２３は、ゲート制御システム１０から照合結果が送信されてきているかどうかを調べ、照合結果が送信されてきている場合にはステップ２０７へ進む。
【００３０】
ステップ２０７では、前記通知された照合結果の内容を読み出し、ステップ２０８では、前記読み出した内容が指紋画像の照合に成功したことを示しているかどうかを調べ、指紋画像の照合に成功したことを示している場合にはステップ２０９へ進み、指紋画像の照合に失敗したことを示している場合にはステップ２１０へ進む。
【００３１】
ステップ２０９では、指紋入力成否ＬＥＤ２１を緑点灯して入室者に指紋照合が成功した旨を知らせ、またステップ２１０では、指紋入力成否ＬＥＤ２１を赤点灯して入室者に指紋照合が失敗した旨を知らせる。指紋入力成否ＬＥＤ２１の赤点灯により指紋照合に失敗したことを知った入室者は、エスカレータによる搬送中に指紋画像の再入力を行って指紋画像の再照合を受けることができる。
【００３２】
ステップ２１１で指紋認証装置２０は、エスカレータによる搬送によって当該指紋認証装置が搬送終点に到着したかどうかを調べ、エスカレータの搬送終点に到着した場合にはステップ２１２へ進む。
【００３３】
ステップ２１２では、当該指紋認証装置の指紋認証装置識別番号を付加した到着通知メッセージを作成し、ゲート制御システム１０へ送信して建物ゲート４０の制御をゲート制御システム１０に要求する。
【００３４】
図３のステップ３０８でゲート制御システム１０のゲート制御処理部１１２は、指紋認証装置２０から到着通知メッセージが送信されてきているかどうかを調べ、到着通知メッセージが送信されてきている場合にはステップ３０９へ進む。
【００３５】
ステップ３０９では、指紋認証装置２０から送信された到着通知メッセージを受信して指紋認証装置識別番号を読み出してステップ３１０へ進み、ゲート制御システム１０内のメモリに保持されている照合結果の中から前記読み出した指紋認証装置識別番号に対応付けられた照合結果を読み出す。
【００３６】
ステップ３１１では、前記読み出した照合結果の内容を参照し、その内容が指紋画像の照合に成功したことを示している場合にはステップ３１２へ進み、指紋画像の照合に失敗したことを示している場合にはステップ３１３へ進む。
【００３７】
ステップ３１２では、通信回線６０を介して建物ゲート４０に通行許可を通知して建物ゲート４０を開いて入室者の通行を許可し、その入室者による入室を可能とする。またステップ３１３では、通信回線６０を介して建物ゲート４０に通行不許可を通知して建物ゲート４０を閉じて入室者の通行を禁止し、建物ゲート４０とエスカレータとの間の側道から管理対象外の一般入口に当該入室者を誘導する。ステップ３１４では、前記の建物ゲート４０の制御で読み出した指紋認証装置識別番号と対応する照合結果を初期化してステップ３０１の処理に戻る。
【００３８】
図４は本実施形態の入室管理システムの実体例を示す図である。図４に示す様に本システムの実体例で、指紋認証装置２０は、エスカレータの手摺ベルト部上に、エスカレータのステップと一対一に対応して実装されており、また建物ゲート４０は、エスカレータの搬送終点に設置されている。
【００３９】
前記の様に本実施形態の入室管理システムでは、指紋センサー２２によって読み取られた指紋画像に指紋認証装置識別番号を付加してゲート制御システム１０に送信し、前記指紋認証装置識別番号と対応付けてその照合結果をゲート制御システム１０のメモリ内に保持しておき、指紋認証装置２０が搬送終点に到着した際に、指紋認証装置識別番号に対応付けられた照合結果をゲート制御システム１０内のメモリに保持されている照合結果の中から読み出して建物ゲート４０を制御しているが、指紋認証装置２０の指紋センサー２２によって読み取られた指紋画像をエスカレータの特定位置でゲート制御システム１０へ送信したり、エスカレータの特定位置に設置された送受信装置で指紋認証装置２０から指紋画像を受信した後にその送受信装置からゲート制御システム１０へ指紋画像を送信し、その特定位置から搬送終点までの搬送に要する時間が経過した後、その指紋認証装置２０が搬送終点に到着したものとして、到着通知メッセージを用いることなく照合結果に応じた建物ゲート４０の制御を行うものとしても良い。
【００４０】
以上説明した様に本実施形態の入室管理システムによれば、入室者の搬送中に生体情報の照合を行うので、生体情報の認証による建物入室管理における認証待ち時間を解消することが可能である。
【００４１】
【発明の効果】
本発明によれば入室者の搬送中に生体情報の照合を行うので、生体情報の認証による建物入室管理における認証待ち時間を解消することが可能である。
【図面の簡単な説明】
【図１】本実施形態の入室管理システムの概略構成を示す図である。
【図２】本実施形態の指紋認証装置２０の処理手順を示すフローチャートである。
【図３】本実施形態のゲート制御システム１０の処理手順を示すフローチャートである。
【図４】本実施形態の入室管理システムの実体例を示す図である。
【符号の説明】
１０…ゲート制御システム、２０…指紋認証装置、２１…指紋入力成否ＬＥＤ、２２…指紋センサー、２３…無線通信装置、３０…外部記憶装置、４０…建物ゲート、５０…無線通信回線、６０…通信回線、１１１…指紋照合処理部、１１２…ゲート制御処理部、１２１…指紋情報読み取り処理部、１２２…指紋情報送信処理部、１２３…照合結果出力処理部。
【図１】
0003946993.tif 000002
【図２】
0003946993.tif 000003
【図３】
0003946993.tif 000004
【図４】
0003946993.tif 000005